(57)【要約】      （修正有）【課題】上焼き型を開放状態に保持でき、且つこの開放状態では下焼き型と上焼き型とが分離不能状態に保持される型焼き器を提供する。【解決手段】下焼き型１の下側連結部４と上焼き型２の上側連結部５とが着脱自在に軸支連結され、下側連結部４と上側連結部５に、上焼き型２を下焼き型１に対し９１度以上１８０度未満開放回動させた位置で回動停止させて上焼き型２を開放状態に保持する開放保持ストッパー８が設けられ、上焼き型２が開放状態の時に、下側連結部４と上側連結部５に係止して下焼き型１と上焼き型２を分離不能状態に保持する係止部９を備え、上焼き型２の開放状態を除いた所定の回動位置で、係止部９が下側連結部４と上側連結部５に係止不能となる係止逃げ部１０を備えている。【選択図】図１
0003217954.tif 000002
【実用新案登録請求の範囲】
【請求項１】
食材を挟んで焼く下焼き型と上焼き型とから成り、下焼き型に対し上焼き型がヒンジ部を介して開閉回動自在に連結されていると共に、このヒンジ部を介して下焼き型と上焼き型とが分離可能に連結されている型焼き器において、前記ヒンジ部は、前記下焼き型の一端部に下側連結部が設けられていると共に、前記上焼き型の一端部に上側連結部が設けられ、この下側連結部と上側連結部のいずれか一方に軸受孔が設けられていると共に、下側連結部と上側連結部のいずれか他方に挿し込み軸が設けられて、この軸受孔に挿し込み軸を挿脱自在に挿し込んで軸支連結することにより下焼き型に対し上焼き型が開閉回動自在且つ軸受孔から挿し込み軸を挿脱することで下焼き型と上焼き型とが分離可能に連結されており、前記下側連結部若しくは前記上側連結部に、前記上焼き型を前記下焼き型に対し９１度以上１８０度未満開放回動させた位置で回動停止させて上焼き型を開放状態に保持する開放保持ストッパーが設けられ、この開放保持ストッパーにより上焼き型が前記開放状態に保持されている時に、前記下側連結部若しくは前記上側連結部に係止して前記挿し込み軸を前記軸受孔から挿脱不能状態に保持する係止部が、前記下焼き型の一端部若しくは前記上焼き型の一端部に設けられていると共に、この上焼き型の前記開放状態を除いた所定の開閉回動位置で、前記係止部が前記下側連結部若しくは前記上側連結部に係止できずに前記挿し込み軸を前記軸受孔から挿脱可能となる係止逃げ部が、前記下側連結部若しくは前記上側連結部に設けられていることを特徴とする型焼き器。
【請求項２】
前記下焼き型の一端部に、前記下側連結部が外方へ向けて突設されていると共に、前記上焼き型の一端部に、前記上側連結部が外方へ向けて突設され、この下側連結部と上側連結部のいずれか一方に、下側連結部若しくは上側連結部の突出方向と直交する横方向に孔長を有する前記軸受孔が設けられていると共に、下側連結部と上側連結部のいずれか他方に、下側連結部若しくは上側連結部の突出方向と直交する横方向に軸長を有する前記挿し込み軸が設けられていて、前記下焼き型の一端部に対し前記上焼き型の一端部を横方向へスライド移動させることで、軸受孔に挿し込み軸が挿脱可能に構成されており、前記下焼き型の一端部若しくは前記上焼き型の一端部であって、前記軸受孔から横方向に間隔を置いた位置に、前記係止部が設けられていることを特徴とする請求項１記載の型焼き器。
【請求項３】
前記下焼き型は、一端部の左右二箇所に前記下側連結部が設けられ、左右いずれか一方の下側連結部に前記軸受孔が設けられていると共に、左右いずれか他方の下側連結部に前記挿し込み軸が設けられているか、若しくは左右いずれか一方の下側連結部に前記挿し込み軸が設けられていると共に、左右いずれか他方の下側連結部に前記軸受孔が設けられており、前記上焼き型は、前記下焼き型と同一形状に形成されて、一端部の左右いずれか一方の上側連結部に前記軸受孔が設けられていると共に、左右いずれか他方の上側連結部に前記挿し込み軸が設けられているか、若しくは左右いずれか一方の上側連結部に前記挿し込み軸が設けられていると共に、左右いずれか他方の上側連結部に前記軸受孔が設けられており、前記下焼き型の前記軸受孔に、下焼き型に対し上下向きを反転させた前記上焼き型の前記挿し込み軸が軸支連結されていると共に、この上焼き型の前記軸受孔に前記下焼き型の前記挿し込み軸が軸支連結されていることを特徴とする請求項１，２のいずれか１項に記載の型焼き器。
【考案の詳細な説明】
【技術分野】
【０００１】
本考案は、例えば、ホットサンドや鯛焼きなどの型焼き食品を調理するための型焼き器に関するものである。
【背景技術】
【０００２】
従来から、上下二つ割り状の焼き型内に、食材を挟み込み、焼き型をガスコンロ等の直火にかけて焼き上げることができる家庭用の型焼き器が実施されている（例えば、特許文献１参照）。
【０００３】
この種の型焼き器を簡単に説明すると、下焼き型と上焼き型とから成り、下焼き型に対し上焼き型がヒンジ部を介して開閉回動自在に連結されていると共に、このヒンジ部を介して下焼き型と上焼き型とが分離可能に連結されていて、不使用時には下焼き型と上焼き型とを分離させて洗浄できるように構成されている。
【先行技術文献】
【特許文献】
【０００４】
【特許文献１】特開２０１２−１５７４２４号公報
【考案の概要】
【考案が解決しようとする課題】
【０００５】
本考案は、このような下焼き型と上焼き型とが分離可能な型焼き器の改良に係るもので、下焼き型に対して上焼き型を開放状態で保持できて食材の出し入れを容易に行うことができ、且つこの開放状態では、下焼き型と上焼き型とが分離不能状態に保持される実用性に優れた型焼き器を提案するものである。
【課題を解決するための手段】
【０００６】
添付図面を参照して本考案の要旨を説明する。
【０００７】
食材を挟んで焼く下焼き型１と上焼き型２とから成り、下焼き型１に対し上焼き型２がヒンジ部３を介して開閉回動自在に連結されていると共に、このヒンジ部３を介して下焼き型１と上焼き型２とが分離可能に連結されている型焼き器において、前記ヒンジ部３は、前記下焼き型１の一端部に下側連結部４が設けられていると共に、前記上焼き型２の一端部に上側連結部５が設けられ、この下側連結部４と上側連結部５のいずれか一方に軸受孔６が設けられていると共に、下側連結部４と上側連結部５のいずれか他方に挿し込み軸７が設けられて、この軸受孔６に挿し込み軸７を挿脱自在に挿し込んで軸支連結することにより下焼き型１に対し上焼き型２が開閉回動自在且つ軸受孔６から挿し込み軸７を挿脱することで下焼き型１と上焼き型２とが分離可能に連結されており、前記下側連結部４若しくは前記上側連結部５に、前記上焼き型２を前記下焼き型１に対し９１度以上１８０度未満開放回動させた位置で回動停止させて上焼き型２を開放状態に保持する開放保持ストッパー８が設けられ、この開放保持ストッパー８により上焼き型２が前記開放状態に保持されている時に、前記下側連結部４若しくは前記上側連結部５に係止して前記挿し込み軸７を前記軸受孔６から挿脱不能状態に保持する係止部９が、前記下焼き型１の一端部若しくは前記上焼き型２の一端部に設けられていると共に、この上焼き型２の前記開放状態を除いた所定の開閉回動位置で、前記係止部９が前記下側連結部４若しくは前記上側連結部５に係止できずに前記挿し込み軸７を前記軸受孔６から挿脱可能となる係止逃げ部10が、前記下側連結部４若しくは前記上側連結部５に設けられていることを特徴とする型焼き器に係るものである。
【０００８】
また、前記下焼き型１の一端部に、前記下側連結部４が外方へ向けて突設されていると共に、前記上焼き型２の一端部に、前記上側連結部５が外方へ向けて突設され、この下側連結部４と上側連結部５のいずれか一方に、下側連結部４若しくは上側連結部５の突出方向と直交する横方向に孔長を有する前記軸受孔６が設けられていると共に、下側連結部４と上側連結部５のいずれか他方に、下側連結部４若しくは上側連結部５の突出方向と直交する横方向に軸長を有する前記挿し込み軸７が設けられていて、前記下焼き型１の一端部に対し前記上焼き型２の一端部を横方向へスライド移動させることで、軸受孔６に挿し込み軸７が挿脱可能に構成されており、前記下焼き型１の一端部若しくは前記上焼き型２の一端部であって、前記軸受孔６から横方向に間隔を置いた位置に、前記係止部９が設けられていることを特徴とする請求項１記載の型焼き器に係るものである。
【０００９】
また、前記下焼き型１は、一端部の左右二箇所に前記下側連結部４が設けられ、左右いずれか一方の下側連結部４に前記軸受孔６が設けられていると共に、左右いずれか他方の下側連結部４に前記挿し込み軸７が設けられているか、若しくは左右いずれか一方の下側連結部４に前記挿し込み軸７が設けられていると共に、左右いずれか他方の下側連結部４に前記軸受孔６が設けられており、前記上焼き型２は、前記下焼き型１と同一形状に形成されて、一端部の左右いずれか一方の上側連結部５に前記軸受孔６が設けられていると共に、左右いずれか他方の上側連結部５に前記挿し込み軸７が設けられているか、若しくは左右いずれか一方の上側連結部５に前記挿し込み軸７が設けられていると共に、左右いずれか他方の上側連結部５に前記軸受孔６が設けられており、前記下焼き型１の前記軸受孔６に、下焼き型１に対し上下向きを反転させた前記上焼き型２の前記挿し込み軸７が軸支連結されていると共に、この上焼き型２の前記軸受孔６に前記下焼き型１の前記挿し込み軸７が軸支連結されていることを特徴とする請求項１，２のいずれか１項に記載の型焼き器に係るものである。
【考案の効果】
【００１０】
本考案は上述のように構成したから、上焼き型を開放状態に保持して食材の出し入れ作業を容易に行うことができ、しかも本考案は、不使用時に下焼き型と上焼き型とを分離して夫々を容易に洗浄可能であるが、上焼き型が前記開放状態となっている使用状況（食材を出し入れする状況）では、下焼き型と上焼き型とが分離不能な状態に保持されて不意に下焼き型と上焼き型とが分離してしまうような不都合がなく、上焼き型の前記開放状態を除いた所定の開閉回動位置でのみ下焼き型と上焼き型とを分離可能であるなど、極めて実用性に優れた型焼き器となる。
【００１１】
また、請求項２記載の考案においては、係止部が下側連結部若しくは上側連結部に係止して挿し込み軸が軸受孔から挿脱不能状態に保持される構成を、簡易に設計実現可能となる一層実用性に優れた構成の型焼き器となる。
【００１２】
また、請求項３記載の考案においては、左右二箇所のヒンジ部によって下焼き型に対し上焼き型が安定的に開閉回動自在となると共に、下焼き型と上焼き型とが同一形状であるため、例えば、ひとつの成形型を用いて下焼き型も上焼き型も量産することが可能となるなど、一層実用性に優れた構成の型焼き器となる。
【図面の簡単な説明】
【００１３】
【図１】本実施例の閉塞状態を示す斜視図である。
【図２】本実施例の閉塞状態を示す要部拡大側断面図である。
【図３】本実施例の上焼き型を下焼き型に対し９０度開放回動させた状態（下焼き型と上焼き型を分離可能な状態）を示す要部拡大斜視図である。
【図４】本実施例の上焼き型を下焼き型に対し９０度開放回動させた状態（下焼き型と上焼き型を分離可能な状態）を示す要部拡大側断面図である。
【図５】本実施例の上焼き型と下焼き型とを分離した状態を示す要部拡大斜視図である。
【図６】本実施例の上焼き型を下焼き型に対し開放状態に保持した状態を示す要部拡大斜視図である。
【図７】本実施例の上焼き型を下焼き型に対し開放状態に保持した状態を示す要部拡大側断面図である。
【考案を実施するための形態】
【００１４】
好適と考える本考案の実施形態を、図面に基づいて本考案の作用を示して簡単に説明する。
【００１５】
下焼き型１と上焼き型２とに食材を挟み込んで（下焼き型１と上焼き型２とをヒンジ部３を介し閉塞して）ガスコンロ等の直火にかけると、型焼き食品を焼き上げることができる。
【００１６】
また、本考案は、前記下側連結部４若しくは前記上側連結部５に設けられている開放保持ストッパー８により、前記上焼き型２を前記下焼き型１に対しヒンジ部３を介して９１度以上１８０度未満開放回動させた位置で回動停止させて上焼き型２を開放状態に保持することができる。
【００１７】
従って、上焼き型２を前記開放状態に保持して、食材を挟み込む作業や焼き上がった食材（型焼き食品）を取り出す作業を容易に行うことができる。
【００１８】
また、本考案のヒンジ部３は、下焼き型１の一端部の下側連結部４と、上焼き型２の一端部の上側連結部５とのいずれか一方に設けられている軸受孔６に、下側連結部４と上側連結部５のいずれか他方に設けられている挿し込み軸７を挿脱自在に挿し込んで軸支連結することにより下焼き型１に対し上焼き型２が開閉回動自在に設けられ、且つ軸受孔６から挿し込み軸７を挿脱することで下焼き型１と上焼き型２とが分離可能に連結されていて、不使用時には下焼き型１と上焼き型２とを分離して夫々を容易に洗浄可能であるが、上焼き型２が前記開放状態となっている状況下では、前記下焼き型１の一端部若しくは前記上焼き型２の一端部に設けられている係止部９が、前記下側連結部４若しくは前記上側連結部５に係止して、前記挿し込み軸７が前記軸受孔６から挿脱不能状態（下焼き型１と上焼き型２とが分離不能な状態）に保持される。
【００１９】
即ち、上焼き型２を前記開放状態として食材を出し入れする最中に、不意に下焼き型１と上焼き型２とが分離してしまうような不都合は生じない。
【００２０】
上焼き型２の前記開放状態を除いた所定の開閉回動位置に上焼き型２を移動すると、前記係止部９が、前記下側連結部４若しくは前記上側連結部５に設けられている係止逃げ部10によりこの下側連結部４若しくは上側連結部５に係止できず、前記挿し込み軸７を前記軸受孔６から挿脱可能となり、下焼き型１と上焼き型２とを分離可能となる。
【実施例】
【００２１】
本考案の具体的な実施例について図面に基づいて説明する。
【００２２】
本実施例は、図１に示すようなホットサンドメーカーに適用したもので、食材（スライスした食パン）を挟んで焼く金属製（例えばアルミ合金製）の下焼き型１と上焼き型２とから成り、下焼き型１に対し上焼き型２がヒンジ部３を介して閉塞状態（図１，図２の状態）から開放方向に回動自在（起伏開閉回動自在）に連結されていると共に、このヒンジ部３を介して下焼き型１と上焼き型２とが分離可能に連結されている。図中符号11は、下焼き型１と上焼き型２を開閉操作したり、調理作業を行う時に使用する柄部である。
【００２３】
また、本実施例のヒンジ部３は、前記下焼き型１の一端部に下側連結部４が設けられていると共に、前記上焼き型２の一端部に上側連結部５が設けられ、この下側連結部４と上側連結部５のいずれか一方に軸受孔６が設けられていると共に、下側連結部４と上側連結部５のいずれか他方に挿し込み軸７が設けられて、この軸受孔６に挿し込み軸７を挿脱自在に挿し込んで軸支連結することにより下焼き型１に対し上焼き型２が開閉回動自在且つ軸受孔６から挿し込み軸７を挿脱することで下焼き型１と上焼き型２とが分離可能に連結されている。
【００２４】
具体的には、下焼き型１は、平面視略方形状の浅底容器であって、外周四辺のうちの一辺（一端部）に下側連結部４が外方へ向けて突設（一体成形）されている。
【００２５】
また、下側連結部４は、下焼き型１の一端部の左右二箇所に間隔を置いて設けられていて、開口部側を上に向けた下焼き型１の左右いずれか一方（図３，図５，図６における左側）の下側連結部４に軸受孔６が設けられていると共に、左右いずれか他方（図３，図５，図６における右側）の下側連結部４に挿し込み軸７が設けられている。
【００２６】
即ち、本実施例の下焼き型１は、左右の下側連結部４に、軸受孔６と挿し込み軸７が一つずつ設けられている。
【００２７】
更に具体的には、下焼き型１の一方の下側連結部４の突出先端部が、この下側連結部４の突出方向と直交する横方向（下焼き型１の一端部の辺長さ方向と略平行な方向）に孔長を有する中心孔（丸孔）を備えた筒状に一体成形されて、この筒状先端部の中心孔が前記軸受孔６として構成されている。
【００２８】
また、下焼き型１の他方の下側連結部４の突出先端部に、この下側連結部４の突出方向と直交する横方向（下焼き型１の一端部の辺長さ方向と略平行な方向）に長さを有する丸棒が、左右の下側連結４の対向外側に向けて突設（一体成形）されて、この丸棒が前記挿し込み軸７として構成されている。
【００２９】
本実施例の上焼き型２は、前記下焼き型１と同一形状のものが採用されている。即ち、下焼き型１の上下向きを反転（開口部が下向きとなるように反転）させると、上焼き型２として機能する（下側連結部４が上側連結部５として機能する）ように構成されている。
【００３０】
このように構成した本実施例によれば、下焼き型１形成用の成形型と上焼き型２形成用の成形型とを別々に用意せずとも、一つの成形型を用いて下焼き型１も上焼き型２も簡易に且つコスト安に量産可能となる。
【００３１】
そして、下焼き型１の前記軸受孔６に前記上焼き型２の前記挿し込み軸７が軸支連結されていると共に、上焼き型２の前記軸受孔６に前記下焼き型１の前記挿し込み軸７が軸支連結されて、下焼き型１に対し上焼き型２がヒンジ部３を介して開閉回動自在に連結され、且つ下焼き型１と上焼き型２の一端部同志をその突き合せ方向と直交する横方向へスライド移動させることで、軸受孔６から挿し込み軸７を挿脱可能に構成されている（図５参照）。
【００３２】
本実施例は、前記下側連結部４若しくは前記上側連結部５に、前記上焼き型２を前記下焼き型１に対し９１度以上１８０度未満開放回動させた位置で回動停止させて上焼き型２を開放状態に保持する開放保持ストッパー８が設けられている。
【００３３】
具体的には、前記軸受孔６を具備する下側連結部４の下部と上部連結部５の上部とに、段差面８Ａが設けられ（一体成形され）、一方、前記挿し込み軸７を具備する下側連結部４の下部と上部連結部５の上部とには、挿し込み軸７と略平行に突片12が突設され（一体成形され）、この突片12は、挿し込み軸７を軸受孔６に挿し込まれて軸支連結された際に、軸受孔６を構成する先端筒状部の外周に近接配設する形状に形成されていると共に、この突片12の、下側連結部４及び上側連結部５の突出方向外側の端部が、前記段差面８Ａと突き合せ当接する突き合せ面８Ｂとして構成され、この下側連結部４及び上側連結部５の段差面８Ａと、上側連結部５及び下側連結部４の突き合せ面８Ｂとが突き合せ当接することによって前記下焼き型１に対し上焼き型２が回動停止するように構成されている。即ち、本実施例では、段差面８Ａと突き合せ面８Ｂとで前記開放保持ストッパー８が構成されている（下側連結部４と上側連結部５の双方に開放保持ストッパー８が設けられている。）。
【００３４】
また、この開放保持ストッパー８は、上焼き型２を下焼き型１に対し１１８〜１２２度（好ましくは１２０度）開放回動させた位置で回動停止するように、段差部８Ａ及び突き合せ面８Ｂの形成位置が設定構成されている（図６，図７参照）。
【００３５】
本実施例は、前記開放保持ストッパー８により上焼き型２が前記開放状態に保持されている時に、前記下側連結部４若しくは前記上側連結部５に係止して前記挿し込み軸７を前記軸受孔６から挿脱不能状態に保持する係止部９が、前記下焼き型１の一端部若しくは前記上焼き型２の一端部に設けられている。
【００３６】
具体的には、前記下焼き型１の一端部であって、左右の下側連結部４間の、軸受孔６を具備する下側連結部４から間隔を置いたこの軸受孔６を具備する下側連結部４寄りの位置に、角棒状の前記係止部９が外方へ向けて突設（一体成形）されている。
【００３７】
同様に、前記上焼き型２の一端部であって、左右の上側連結部５間の、軸受孔６を具備する上側連結部４から間隔を置いたこの軸受孔６を具備する上側連結部５寄りの位置に、角棒状の前記係止部９が外方へ向けて突設（一体成形）されている。
【００３８】
即ち、本実施例は、下焼き型１と上焼き型２の双方に係止部９が設けられている。
【００３９】
また、この係止部９は、軸受孔６を具備する下側連結部４及び上側連結部５から、下側連結部４及び上側連結部５の左右幅と略同幅の間隔を置いた位置に設けられていると共に、軸受孔６に挿し込み軸７を軸支連結した際に、この係止部９の突出先端部が、挿し込み軸７を具備する下側連結部４の挿し込み軸７の存する側と反対側面に近接配設すると共に、挿し込み軸７を具備する上側連結部５の挿し込み軸７の存する側と反対側面に近接配設して、上側連結部５が下側連結部４から離反しようとしても（挿し込み軸７が軸受孔６から挿脱しようとしても）、下側連結部４及び上側連結部５に係止部９が当接係止してこのことが阻止されるように構成されている。
【００４０】
また、本実施例は、この上焼き型２の前記開放状態を除いた所定の回動位置で、前記係止部９が前記下側連結部４若しくは前記上側連結部５に係止できずに前記挿し込み軸７を前記軸受孔６から挿脱可能となる係止逃げ部10が前記下側連結部４若しくは前記上側連結部５に設けられている。
【００４１】
具体的には、挿し込み軸７を具備する下側連結部４の上部と上側連結部５の下部とに、切欠部10が設けられ（一体成形され）て、この切欠部10が前記係止逃げ部10として構成され、この係止逃げ部10と前記係止部９との位置が合致すると、係止部９が下側連結部４若しくは前記上側連結部５に当接係止できなくなり、下焼き型１に対し上焼き型２を横スライドさせて挿し込み軸７を前記軸受孔６から挿脱させ、下焼き型１と上焼き型２とを分離可能となるように構成されている（図３〜図５参照）。
【００４２】
即ち、本実施例は、下焼き型１と上焼き型２の双方に係止部９を設けたことに対応させて、下側連結部４と上側連結部５の双方に係止逃げ部10が設けられている。
【００４３】
また、この係止逃げ部10は、上焼き型２を下焼き型１に対し８５〜９５度（好ましくは９０度）開放回動させた位置で、係止部９との位置が合致するように設定構成されている。即ち、本実施例では、上焼き型２を下焼き型１に対し８５〜９５度（好ましくは９０度）開放回動させた位置で、下焼き型１と上焼き型２とが分離可能に構成され、これ以外（前記開放状態を含む）の開放位置では下焼き型１と上焼き型２とは分離不能となるように構成されている。
【００４４】
尚、本考案は、本実施例に限られるものではなく、各構成要件の具体的構成は適宜設計し得るものである。
【符号の説明】
【００４５】
１  下焼き型
２  上焼き型
３  ヒンジ部
４  下側連結部
５  上側連結部
６  軸受孔
７  挿し込み軸
８  開放保持ストッパー
９  係止部
10  係止逃げ部
【図１】
0003217954.tif 000003
【図２】
0003217954.tif 000004
【図３】
0003217954.tif 000005
【図４】
0003217954.tif 000006
【図５】
0003217954.tif 000007
【図６】
0003217954.tif 000008
【図７】
0003217954.tif 000009